【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
スモールセルによって運用されるワイヤレスローカルエリアネットワーク(WLAN)への干渉を低減するために、セルラーネットワーク用の動作チャネルを選択するための方法であって、
前記スモールセルによって、利用可能なチャネルのチャネルスキャンを実行するステップであって、前記スモールセルがWLANアクセスポイントとセルラーネットワークモデムとを備える、ステップと、
前記チャネルスキャンに基づいて前記セルラーネットワーク用の前記動作チャネルとなるべきクリーンチャネルがあるかどうかを判断するステップであって、前記クリーンチャネルがWLAN干渉しきい値未満で前記WLANに干渉するチャネルを備える、ステップと、
前記クリーンチャネルが利用可能であることに基づいて前記セルラーネットワーク用の前記動作チャネルとして前記クリーンチャネルを選択するか、または前記クリーンチャネルが利用可能ではないことに基づいて前記セルラーネットワークをオフにするステップと
を備える方法。
【請求項２】
周期的にまたはイベントに応答して前記チャネルスキャンを実行するステップをさらに備える、請求項1に記載の方法。
【請求項３】
前記イベントが、前記WLANアクセスポイントまたは前記WLANアクセスポイントに接続されたユーザデバイスによる、しきい値よりも高い前記動作チャネルへの干渉の検出を備える、請求項2に記載の方法。
【請求項４】
前記チャネルスキャンに基づいて新しい動作チャネルに切り替えるためのチャネル切替え基準が満たされたかどうかを判断するステップと、
前記チャネル切替え基準が満たされたと判断したことに基づいて、前記新しい動作チャネルに切り替えるステップと
をさらに備える、請求項1に記載の方法。
【請求項５】
前記チャネル切替え基準が、新しいビーコンのビーコンRSSIが前記しきい値よりも大きいかどうかの指示および/または前記動作チャネルよりも高いユーティリティ値を有する新しいチャネルがあるかどうかの指示を備える、請求項4に記載の方法。
【請求項６】
スモールセルによって運用されるワイヤレスローカルエリアネットワーク(WLAN)への干渉を低減するために、セルラーネットワーク用の動作チャネルを選択するための方法であって、
前記スモールセルのセルラーネットワークモデムによって、前記セルラーネットワークを動作させるための利用可能なチャネルの第1のチャネルスキャンを実行するステップと、
前記スモールセルのWLANアクセスポイントによって、前記セルラーネットワークを動作させるための前記利用可能なチャネルの第2のチャネルスキャンを実行するステップと、
前記第1のチャネルスキャンに基づいて、セルラーネットワーク干渉しきい値を下回る干渉レベルを有する前記利用可能なチャネルのうちの1つまたは複数のセルラーネットワークチャネルを識別するステップと、
前記第2のチャネルスキャンに基づいて、前記識別された1つまたは複数のセルラーネットワークチャネルの中に前記セルラーネットワーク用の前記動作チャネルとなるべきクリーンチャネルがあるかどうかを判断するステップであって、前記クリーンチャネルがWLAN干渉しきい値未満で前記WLANに干渉するチャネルを備える、ステップと、
前記クリーンチャネルが利用可能であることに基づいて前記セルラーネットワーク用の前記動作チャネルとして前記クリーンチャネルを選択するか、または前記クリーンチャネルが利用可能ではないことに基づいて前記セルラーネットワークをオフにするステップとを備える方法。
【請求項７】
前記クリーンチャネルが、RSSIしきい値未満の最大ビーコン受信信号強度インジケータ(RSSI)を有するチャネルを備える、請求項1または6に記載の方法。
【請求項８】
前記WLAN干渉しきい値が、前記RSSIしきい値を備える、請求項7に記載の方法。
【請求項９】
ユーティリティ値を、RSSIしきい値未満の最大ビーコンRSSIを有する前記1つまたは複数のチャネルの各々に割り当てるステップであって、前記ユーティリティ値が雑音フロアおよび前記最大ビーコンRSSIに基づく、ステップ
をさらに備える、請求項1または6に記載の方法。
【請求項１０】
前記選択された動作チャネルが、最も高いユーティリティ値を有する利用可能なチャネルを備える、請求項9に記載の方法。
【請求項１１】
周期的にまたはイベントに応答して前記第1のチャネルスキャンおよび前記第2のチャネルスキャンを実行するステップをさらに備える、請求項6に記載の方法。
【請求項１２】
前記イベントが、前記WLANアクセスポイントまたは前記WLANアクセスポイントに接続されたユーザデバイスによる、しきい値よりも高い前記動作チャネルへの干渉の検出を備える、請求項11に記載の方法。
【請求項１３】
前記第2のチャネルスキャンに基づいて新しい動作チャネルに切り替えるためのチャネル切替え基準が満たされたかどうかを判断するステップと、
前記チャネル切替え基準が満たされたと判断したことに基づいて、前記新しい動作チャネルに切り替えるステップと
をさらに備える、請求項6に記載の方法。
【請求項１４】
前記チャネル切替え基準が、新しいビーコンのビーコンRSSIが前記WLAN干渉しきい値よりも大きいかどうかの指示および/または前記動作チャネルよりも高いユーティリティ値を有する新しいチャネルがあるかどうかの指示を備える、請求項13に記載の方法。
【請求項１５】
前記セルラーネットワーク干渉しきい値を下回る干渉レベルを有する前記セルラーネットワークチャネルが利用可能ではないことに基づいて、利用不可能なセルラーネットワークチャネルを除外するステップ
をさらに備える、請求項6に記載の方法。
【請求項１６】
前記除外するステップが、
前記WLANアクセスポイントのスキャン期間と重複する、前記セルラーネットワーク干渉しきい値を上回る干渉レベルを有する任意のセルラーネットワーク信号を探索するために、ネットワークリッスンを実行するステップと、
前記WLANアクセスポイントの所与のスキャン期間におけるアクセスポイントビーコンミスを検出するステップと、
前記アクセスポイントビーコンミスがセルラーネットワーク信号の存在に相関付けられるかどうかを判断するステップと、
前記アクセスポイントビーコンミスがセルラーネットワーク信号の存在に相関付けられることに基づいて、前記干渉レベルが前記セルラーネットワーク干渉しきい値を上回らないまで、前記セルラーネットワーク信号に対応するセルラーネットワークチャネルについて以前のアクセスポイントビーコンRSSIを維持するか、または、
前記セルラーネットワーク干渉しきい値を上回る干渉レベルを有するセルラーネットワーク信号に対して逐次干渉除去を実行することによって、クリーンセルラーネットワーク信号を生成するステップと、
前記クリーンセルラーネットワーク信号を前記WLANアクセスポイントに提供するか、または、
同じ事業者に属する複数のスモールセルの間で利用可能なWLANアクセスポイントチャネルのチャネルスキャンを同期させるステップであって、前記複数のスモールセルが前記スモールセルを含む、ステップと、
前記WLANアクセスポイントが前記スモールセルの現在のワイヤレス環境を判断するのを可能にするために、前記スモールセルをミュートするステップと
を備える、請求項15に記載の方法。
【請求項１７】
前記クリーンセルラーネットワーク信号が、前記セルラーネットワーク干渉しきい値を上回る前記干渉レベルを有する前記セルラーネットワーク信号を含まず、ビーコン検出のための残りのWLANアクセスポイント信号のみを含む波形を備えるか、または、
前記逐次干渉除去を前記実行するステップおよび前記提供するステップが、前記スモールセルと通信しているユーザデバイスによって実行されるか、または、
前記逐次干渉除去を前記実行するステップおよび前記提供するステップが、前記スモールセルによって実行される、請求項16に記載の方法。
【請求項１８】
スモールセルによって運用されるワイヤレスローカルエリアネットワーク(WLAN)への干渉を低減するために、セルラーネットワーク用の動作チャネルを選択するための装置であって、請求項1乃至17の何れか1項に記載の方法を実施するように構成された手段を備える、装置。
【請求項１９】
スモールセルによって運用されるワイヤレスローカルエリアネットワーク(WLAN)への干渉を低減するために、セルラーネットワーク用の動作チャネルを選択するための非一時的コンピュータ可読記憶媒体であって、請求項1乃至17の何れか1項に記載の方法を実施するように構成されたコードを含む、非一時的コンピュータ可読記憶媒体。